(57)【要約】【課題】装置の上面に懸濁物質が堆積しにくい傾斜沈降促進装置を提供する。【解決手段】原水が上向流で流通する複数の傾斜流路３０を有する傾斜部１０と、この傾斜部１０の両側に配置される側板２０と、を備え、第１の傾斜流路３０は、この第１の傾斜流路３０を形成する第１の部分を有し、第１の傾斜流路３０に隣り合う第２の傾斜流路３０は、第２の傾斜流路３０を形成する、第１の部分に隣り合う第２の部分を有し、第１の部分と側板２０とが接触する部分において交差部分が無く、かつ、第２の部分と側板２０とが接触する部分において交差部分が無く、傾斜部１０の上辺部１５及び側板２０の上辺部２１が水面下に位置する、傾斜沈降促進装置１００。【選択図】図１
2020059026.tif 000002
【特許請求の範囲】
【請求項１】
原水が上向流で流通する複数の傾斜流路を有する傾斜部と、
前記傾斜部の両側に配置される側板と、を備え、
第１の前記傾斜流路は、前記第１の傾斜流路を形成する第１の部分を有し、
前記第１の傾斜流路に隣り合う第２の前記傾斜流路は、前記第２の傾斜流路を形成する、前記第１の部分に隣り合う第２の部分を有し、
前記第１の部分と前記側板とが接触する部分において交差部分が無く、かつ、前記第２の部分と前記側板とが接触する部分において交差部分が無く、
前記傾斜部の前記上辺部及び前記側板の前記上辺部が水面下に位置する、傾斜沈降促進装置。
【請求項２】
前記傾斜部は、複数の傾斜板から構成され、
複数の前記傾斜板のうちの一部の前記傾斜板の上辺部は、前記第１、第２の部分の上辺部であって、前記側板の前記上辺部と高さ位置が異なる、請求項１に記載の傾斜沈降促進装置。
【請求項３】
前記傾斜部は、複数の矩形筒状部材から構成され、
複数の前記矩形筒状部材のうちの一部の前記矩形筒状部材の上辺部は、前記第１、第２の部分の上辺部であって、前記側板の前記上辺部と高さ位置が異なる、請求項１に記載の傾斜沈降促進装置。
【請求項４】
前記傾斜部の前記上辺部は、前記側板の前記上辺部より低い位置に配置されている、請求項１〜３のいずれか一項に記載の傾斜沈降促進装置。
【請求項５】
並列に配置された複数の前記傾斜部を備え、
前記側板を挟んで隣り合う前記傾斜部は、前記側板の長手方向に沿って互いにずれて配置されている、請求項１〜４のいずれかに記載の傾斜沈降促進装置。
【発明の詳細な説明】
【技術分野】
【０００１】
本発明は、傾斜沈降促進装置に関する。更に詳しくは、本発明は、原水から懸濁物質（ＳＳ：Ｓｕｓｐｅｎｄｅｄ  Ｓｏｌｉｄ）を沈殿させて処理水を得る傾斜沈降促進装置に関する。
【背景技術】
【０００２】
従来、例えば川などから取り入れた被処理水（原水）の処理を行う水処理施設には、沈殿池が設けられており、この沈殿池内には、原水を処理するための傾斜沈降促進装置（以下、「沈降装置」と記す場合がある）が設置されている（特許文献１〜３参照）。
【先行技術文献】
【特許文献】
【０００３】
【特許文献１】特開２００９−４５５３２号公報
【特許文献２】特開２００９−２９９８７号公報
【特許文献３】特開平５−２００２０５号公報
【発明の概要】
【発明が解決しようとする課題】
【０００４】
沈降装置を用いると、原水に含まれる懸濁物質を良好に沈殿させて水処理を行うことができる。しかしながら、特許文献１〜３に記載のような従来の沈降装置は、装置の上面に懸濁物質が堆積し易い構造であるため、次のような問題が生じている。
【０００５】
（１）濁物質の堆積物により、沈降装置の流路が閉塞し、沈降装置の除去性能が低下する。
（２）堆積物が沈降装置から剥がれて処理水に混入し、水質を悪化させる。
（３）堆積物からユスリカや藻類等が発生する。
（４）懸濁物質の過度な堆積を防ぐために、定期的に装置を清掃しなければならない。
【０００６】
本発明は、このような従来技術の有する問題に鑑みてなされたものであり、装置の上面に懸濁物質が堆積することを防止できる傾斜沈降促進装置を提供するものである。
【課題を解決するための手段】
【０００７】
本発明によれば、以下に示す、傾斜沈降促進装置が提供される。
【０００８】
［１］  原水が上向流で流通する複数の傾斜流路を有する傾斜部と、
前記傾斜部の両側に配置される側板と、を備え、
第１の前記傾斜流路は、前記第１の傾斜流路を形成する第１の部分を有し、
前記第１の傾斜流路に隣り合う第２の前記傾斜流路は、前記第２の傾斜流路を形成する、前記第１の部分に隣り合う第２の部分を有し、
前記第１の部分と前記側板とが接触する部分において交差部分が無く、かつ、前記第２の部分と前記側板とが接触する部分において交差部分が無く、
前記傾斜部の前記上辺部及び前記側板の前記上辺部が水面下に位置する、傾斜沈降促進装置。
【０００９】
［２］  前記傾斜部は、複数の傾斜板から構成され、
複数の前記傾斜板のうちの一部の前記傾斜板の上辺部は、前記第１、第２の部分の上辺部であって、前記側板の前記上辺部と高さ位置が異なる、前記［１］に記載の傾斜沈降促進装置。
【００１０】
［３］  前記傾斜部は、複数の矩形筒状部材から構成され、
複数の前記矩形筒状部材のうちの一部の前記矩形筒状部材の上辺部は、前記第１、第２の部分の上辺部であって、前記側板の前記上辺部と高さ位置が異なる、前記［１］に記載の傾斜沈降促進装置。
【００１１】
［４］  前記傾斜部の前記上辺部は、前記側板の前記上辺部より低い位置に配置されている、前記［１］〜［３］のいずれかに記載の傾斜沈降促進装置。
【００１２】
［５］  並列に配置された複数の前記傾斜部を備え、
前記側板を挟んで隣り合う前記傾斜部は、前記側板の長手方向に沿って互いにずれて配置されている、前記［１］〜［４］のいずれかに記載の傾斜沈降促進装置。
【発明の効果】
【００１３】
本発明の傾斜沈降促進装置によれば、装置の上面に懸濁物質が堆積することを効果的に防止することができる。これにより、装置の流路の閉塞が生じ難くなり、装置の除去性能を良好に維持することができる。また、装置を清掃する手間を省略または低減できる。
【図面の簡単な説明】
【００１４】
【図１】本発明の傾斜沈降促進装置（第１の発明）の一の実施形態を模式的に示す斜視図である。
【図２】本発明の傾斜沈降促進装置の一の実施形態を側面から見た状態を模式的に示す断面図である。
【図３】本発明の傾斜沈降促進装置の一の実施形態を、側板の延びる方向に見た状態を模式的に示す平面図である。
【図４】本発明の傾斜沈降促進装置の他の実施形態を模式的に示す斜視図である。
【図５】本発明の傾斜沈降促進装置の更に他の実施形態を模式的に示す斜視図である。
【図６】本発明の傾斜沈降促進装置の更に他の実施形態を模式的に示す斜視図である。
【図７】本発明の傾斜沈降促進装置（第２の発明）の一の実施形態を模式的に示す斜視図である。
【図８】本発明の傾斜沈降促進装置（第２の発明）の一の実施形態を上辺部側から見た状態を模式的に示す平面図である。
【図９】本発明の傾斜沈降促進装置の更に他の実施形態を模式的に示す斜視図である。
【図１０】本発明の傾斜沈降促進装置の更に他の実施形態（図９に示す実施形態）を上辺部側から見た状態を模式的に示す平面図である。
【図１１】本発明の傾斜沈降促進装置の更に他の実施形態を模式的に示す斜視図である。
【図１２】本発明の傾斜沈降促進装置の更に他の実施形態（図１１に示す実施形態）を上辺部側から見た状態を模式的に示す平面図である。
【図１３】本発明の傾斜沈降促進装置（第１の発明）の更に他の実施形態を模式的に示す斜視図である。
【図１４】本発明の傾斜沈降促進装置（第１の発明）の更に他の実施形態を模式的に示す斜視図である。
【図１５】本発明の傾斜沈降促進装置（第１の発明）の更に他の実施形態を模式的に示す斜視図である。
【図１６】本発明の傾斜沈降促進装置（第１の発明）の更に他の実施形態を模式的に示す斜視図である。
【図１７】傾斜沈降促進装置を備える水処理システムを模式的に示す説明図である。
【図１８】従来の傾斜沈降促進装置を模式的に示す斜視図である。
【図１９】従来の傾斜沈降促進装置を側板側から見た状態を模式的に示す断面図である。
【図２０】従来の傾斜沈降促進装置を側板側から見た状態を模式的に示す断面図である。
【図２１】従来の傾斜沈降促進装置を上辺部側から見た状態を模式的に示す平面図である。
【発明を実施するための形態】
【００１５】
以下、本発明の実施の形態について説明する。本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１６】
まず最初に、従来技術の問題に関して見出した本発明者の新たな知見について説明する。本発明者は、上記した従来技術の問題について種々の角度から検討したところ、図２１に示すように、従来の沈降装置１は、側板２０の上辺部と傾斜部１０の上辺部とが同一平面上に位置し、且つ側板２０の上辺部と傾斜部１０の上辺部とが十字状に交差している（つまり、側板２０と傾斜部１０との交差部分が４つの流路（傾斜流路）３０に囲まれている）ことに起因して、以下の現象が生じるという知見を得た。すなわち、側板２０と傾斜部１０との交差部分（例えば図２１中の円で囲まれた領域）において、懸濁物質が堆積し易く、この交差部分を起点として懸濁物質の堆積物５５が成長することが分かった。なお、「傾斜流路」は、以下、単に「流路」と記す場合がある。
【００１７】
上記の現象について、図面を用いてより詳しく説明する。図１８〜図２１は、従来の傾斜沈降促進装置を模式的に示す図面である。なお、従来の沈降装置２は、図１８に示す沈降装置１を複数個備え、これらの沈降装置１が並列に配置されているものである。図１８に示す沈降装置１は、傾斜部１０と側板２０とを備え、側板２０の上辺部２１と傾斜部１０の上辺部１５とが同一平面上に位置している。
【００１８】
沈降装置２において、原水１５１は、沈降装置２の下端面から流路３０に供給され、上端面から処理水として流出される。この際、流出された処理水は、その大部分は上方に配置された集水トラフによって回収されることになるが、処理水の一部は、図２０に示すような下降流Ｘを生じると考えられる。そして、沈降装置２のように、傾斜部１０の上辺部１５と側板２０の上辺部２１とが同じ高さ位置（即ち、側板２０の上辺部２１と傾斜部１０の上辺部１５とが同一平面）で交差している場合、図２１の矢印で示すとおり、各交差部分には、４つの流路（即ち、４方向（全方向））からの下降流Ｘが集合することになる。このとき、下降流Ｘに、流路３０内の出口付近を漂っていた懸濁物質が巻き込まれて交差部分に着地する。着地した懸濁物質には、下降流Ｘに巻き込まれた別の懸濁物質が引っかかり、徐々に堆積を増していく。このようなことから、従来の沈降装置２には、その交差部分に懸濁物質が堆積し易く、堆積物５５が形成され易いと考えられる。
【００１９】
このように従来の沈降装置における各交差部分は、懸濁物質が安定的に着地できる部分（引っかかる部分）となるため、懸濁物質が堆積し易く、堆積物５５（図１９参照）が形成され易い。そして、この堆積物５５が成長すると、以下のような問題が生じることになる。即ち、堆積物５５が成長すると、流路の出口側の開口部の開口面積が小さくなる。このように開口部の開口面積が小さくなると、この流路から流出される処理水の流速が速くなり、処理水とともに懸濁物質が勢い良く流出してしまうようになる。そのため、処理水とともに勢い良く流出された懸濁物質によって処理水が汚染されたり、上記懸濁物質が装置の上面に降り積もって堆積物が更に成長したりする。その後、堆積物は、最終的には、一部の流路の出口側の開口部を完全に閉塞させるまでに成長することになる。そして、一部の流路の開口部が完全に閉塞してしまうと、閉塞していない流路に流入する原水の流入量が増加する。その結果、装置全体の沈降除去率が低下することになる。
【００２０】
本発明者は、このような従来の沈降装置における問題を解決するため、鋭意検討を重ねた結果、沈降装置の傾斜部の上辺部と側板の上辺部との高さ位置を異ならせることにより、これらの問題を解決できることを見出したのである。すなわち、本発明によれば、従来の沈降装置に比べて、側板と傾斜部との交差部分が無くなる、又は減少する。従来の沈降装置では、各交差部分に４方向からの下降流が集合するように流れているため、この交差部分に懸濁物質が堆積し易かったが、上記のように傾斜部の上辺部と側板の上辺部との高さ位置を異ならせるようにすると、例えば図１０の矢印で示すとおり、側板の長手方向に並ぶ２つの流路（即ち、２方向）からの下降流が集合するだけになる。そのため、流路内の出口付近を漂っていた懸濁物質が下降流に巻き込まれた場合にも、従来の沈降装置と比較して、懸濁物質が交差部分に堆積し難くなり、交差部分に堆積物５５が形成され難くなる。
【００２１】
以下、本発明の傾斜沈降促進装置について、具体的に説明する。
【００２２】
［１］傾斜沈降促進装置（第１の発明）：
図１は、本発明の傾斜沈降促進装置（第１の発明）の一の実施形態を模式的に示す斜視図である。図２は、本発明の傾斜沈降促進装置の一の実施形態を側面から見た状態を模式的に示す断面図である。図３は、本発明の傾斜沈降促進装置の一の実施形態を、側板の延びる方向に見た状態を模式的に示す平面図である。
【００２３】
第１の発明に係る傾斜沈降促進装置の一の実施形態は、図１〜図３に示す傾斜沈降促進装置１００である。この傾斜沈降促進装置１００は、原水が流通する複数の傾斜流路３０を有する傾斜部１０と、この傾斜部１０の両側に配置される側板２０と、を備えている。そして、傾斜沈降促進装置１００は、傾斜部１０の上辺部（上端面）１５が、側板２０の上辺部（上端面）２１より低い位置にある。即ち、傾斜沈降促進装置１００は、傾斜部１０の上辺部（上端面）１５が、側板２０の上辺部（上端面）２１とは高さ位置が異なっている。傾斜流路３０は、一方の端面である下端面１１から他方の端面である上端面１２まで延び、懸濁物質を含んだ原水が流通する空間である。
【００２４】
なお、本発明の傾斜沈降促進装置は、傾斜部の上辺部（上端面）が、側板の上辺部（上端面）とは高さ位置が異なっていればよく、図１６に示す傾斜沈降促進装置１０５のように、傾斜部１０の上辺部（上端面）１５が、側板２０の上辺部（上端面）２１より高い位置にあってもよい。
【００２５】
傾斜沈降促進装置１００は、上端面１２に懸濁物質が過度に堆積して成長することにより、流路の排出口が閉塞し、除去性能が低下してしまうという問題が解消される。更に、堆積物５５が剥がれて処理水に混入し、水質を悪化させるという問題が解消される。また、堆積物からユスリカや藻類等が発生するという問題を防止できる。更に、堆積物５５を清掃する手間を省略または低減できる。
【００２６】
本発明の傾斜沈降促進装置は、図１７に示す傾斜沈降促進装置２００のように、沈殿池５０に設置されて使用される。図１７に示すように、原水５１は、沈殿池５０に供給され、傾斜沈降促進装置２００の下方から流路に進入し、上方に抜けていく。その際に、原水中の懸濁物質は、傾斜部１０の傾斜面４０（図１、図２等参照）上に沈降することで、原水から分離される。懸濁物質が取り除かれた原水は処理水として集水トラフ５２から沈殿池５０の外に流出される。
【００２７】
次に、本発明の傾斜沈降促進装置の各構成要素についてそれぞれ説明する。
【００２８】
［１−１］傾斜部：
傾斜部は、原水が流通する複数の傾斜流路を有する限り特に制限はないが、傾斜面を有する板状の傾斜板、及び傾斜面を有する管状の傾斜管（矩形筒状部材）の少なくとも一方から構成することができる。傾斜部と側板とを一体に成形する場合には、傾斜部は傾斜板からなることが好ましい。傾斜沈降促進装置の製造が容易になるためである。また、傾斜部と側板とを別体に成形し、これらを接合させて傾斜沈降促進装置を作製する場合には、傾斜部は傾斜管からなることが好ましい。傾斜部と側板とを互いに固定する必要があるが、傾斜管を採用することにより、傾斜部と側板とを良好に固定（接合）することができるためである。また、傾斜管は、傾斜板に比べて、強度に優れるためでもある。
【００２９】
図１〜図３は、複数枚（６枚）の傾斜板１６から構成される傾斜部１０を備える傾斜沈降促進装置１００を示している。傾斜板１６のうち、その上辺部が側板２０の上辺部（上端面２１）より低い位置にある傾斜板を「短手傾斜板１７」とすると、この傾斜沈降促進装置１００は、全ての傾斜板１６が短手傾斜板１７であり、この短手傾斜板１７の上辺部（上端面１７ａ）が側板２０の上辺部（上端面２１）より低い位置にある。このような傾斜沈降促進装置１００は、上辺部の交差部分が無いため、懸濁物質（ＳＳ）の着地部分が少なくなり、堆積物５５の成長の起点が少なくなる。そのため、流路の出口側の開口部を閉塞させるまでに堆積物５５が成長することを防止することができる。更に、堆積物５５を清掃する手間を省略または低減できる。なお、傾斜板１６は、平板に限定されず、水平断面がＶ字状や多角状等にした板であってもよい。
【００３０】
図４は、複数個（３個）の傾斜管１８から構成される傾斜部１０を備える傾斜沈降促進装置１０１を示している。傾斜管１８のうち、その上辺部が側板２０の上辺部（上端面２１）より低い位置にある傾斜管を「短手傾斜管１９」とすると、この傾斜沈降促進装置１０１は、全ての傾斜管１８が短手傾斜管１９であり、この短手傾斜管１９の上辺部（上端面１９ａ）が側板２０の上辺部（上端面２１）より低い位置にある。このような傾斜沈降促進装置１０１は、上記の傾斜沈降促進装置１００と同様の効果を有するものである。
【００３１】
傾斜管１８の外周形状は、特に制限はなく、例えば図４などに示すように、四角柱状であってもよいし、傾斜管が延びる方向に直交する断面がひし形状の柱状、傾斜管が延びる方向に直交する断面がシェブロン形状（逆Ｖ字状）の柱状、六角柱状などのその他の形状であってもよい。
【００３２】
傾斜板及び傾斜管の枚数は、特に制限はなく適宜設定することができる。また、「短手傾斜板」及び「短手傾斜管」の枚数についても、特に制限はなく適宜設定することができる。
【００３３】
本発明の傾斜沈降促進装置は、沈殿池５０の大きさに応じて、並列に複数配置するものが好ましい。このようなものとして、これまで説明した図１〜図４のいずれかの特徴を有する傾斜沈降促進装置を挙げることができる。例えば、図１１、図１２に示す傾斜沈降促進装置４０１は、並列に配置された複数の傾斜部１０を備えている例である。当該例のように、隣り合う傾斜部の間に位置する側板を１枚にしたものであってもよい。
【００３４】
なお、「並列に配置され」とは、沈殿池５０の上流側から下流側に向かう原水の流れ方向に垂直な方向に隣り合って配列されていることを意味する。
【００３５】
更に、図１１、図１２に示されるように、本発明の傾斜沈降促進装置では、全ての傾斜部１０の上辺部１５が、側板２０の上辺部２１より低い位置にあり、更に、側板２０を挟んで隣り合う傾斜部１０の傾斜管１８（短手傾斜管１９）が、側板２０の長手方向に互い違いにずれて配置されていることが好ましい。このような傾斜沈降促進装置４０１は、図１１、図１２に示すように、側板２０を挟んで隣り合う傾斜部１０の傾斜管１８が、側板２０の長手方向に互い違いにずれて配置されるため、良好な強度が得られる。
【００３６】
「側板を挟んで隣り合う傾斜部の傾斜管が、側板の長手方向に互い違いにずれて配置され」とは、以下のように傾斜管が配置されることを意味する。即ち、一の傾斜部と、当該一の傾斜部と隣り合う他の傾斜部とが、それぞれ、原水の流れ方向に複数配置された傾斜管から構成され、傾斜沈降促進装置を側板側から透視する。このとき、一の傾斜部を構成する傾斜管の間に、この一の傾斜部と隣り合う他の傾斜部を構成する傾斜管が配置されていることを意味する。
【００３７】
なお、傾斜沈降促進装置４０１は、図４に示す傾斜沈降促進装置１０１を１つのユニットと仮定すると、このユニットを複数備え、これらのユニットが並列に配置されたものということもできる。ここで、傾斜沈降促進装置４０１は、隣り合う傾斜沈降促進装置１０１同士をその側板２０同士を共通化して固定することにより構成されている。つまり、隣り合う傾斜沈降促進装置１０１の傾斜部１０の間には、１枚の側板２０がある。このように、並列に複数個配置された複数の傾斜部を有する傾斜沈降促進装置であって、隣り合う傾斜沈降促進装置１０１の傾斜部１０の間の側板が１枚の例としては、図１１、図１２に示す傾斜沈降促進装置４０１を挙げることができるが、図５に示すように、傾斜沈降促進装置１０１を単純に連結させて隣り合う傾斜沈降促進装置１０１の傾斜部１０の間の側板２０が２枚となる装置であってもよい。
【００３８】
図６に示す傾斜沈降促進装置２０１は、１枚の側板２０の両面にある傾斜管１８（傾斜部１０）を側板２０に直交する線上で同じ位置に配置している点を除いては、傾斜沈降促進装置４０１と同一の構成である。このような傾斜沈降促進装置２０１は、上記の傾斜沈降促進装置１００、１０１と同様の効果を有する。
【００３９】
なお、傾斜板及び傾斜管の材質としては、ポリエチレンテレフタレート（ＰＥＴ）、ポリ塩化ビニル（ＰＶＣ）、ステンレス鋼（ＳＵＳ）などを採用することができる。
【００４０】
［１−２］側板：
側板２０は、傾斜部１０の両側に配置されるものであり、具体的には、傾斜部１０を挟むように配置される平板状の部材である。側板２０は、従来公知のものを適宜選択して用いることができる。そして、この側板２０は、傾斜部１０と互いに接着等されて固定されるか、或いは、傾斜部１０と一体成型され、傾斜部１０を支持する役割を果たしている。
【００４１】
［２］傾斜沈降促進装置（第２の発明）：
第２の発明に係る傾斜沈降促進装置の一の実施形態は、図７、図８に示す傾斜沈降促進装置３００である。この傾斜沈降促進装置３００は、原水が流通する複数の傾斜流路３０を有し、並列に配置された複数の傾斜部１０と、この傾斜部１０の両側に配置される側板２０と、を備えている。そして、側板２０を挟んで隣り合う傾斜部１０は、側板２０の長手方向に沿って互いにずれて配置されている。
【００４２】
この傾斜沈降促進装置３００は、側板２０の上端面と傾斜部１０の上端面とが同一平面上に位置しているが、側板２０の上辺部と傾斜部１０の上辺部とが十字状に交差していない。具体的には、側板２０の上辺部と傾斜部１０の上辺部とがＴ字状に交差している。そのため、この交差部分において、ＳＳが堆積し難く、堆積物５５（図１９等参照）が形成され難くなる。つまり、側板２０と傾斜部１０との交差部分が４つの流路に囲まれていないことになる（具体的には、図８の矢印で示すとおり、交差部分が３つの流路（４つの流路より１つ少ない）に囲まれている）。このような傾斜沈降促進装置３００においては、上記の傾斜沈降促進装置１００に比べて交差部分の面積が増えるとはいえ、従来の沈降装置に比較すると交差部分の面積が減少する。そのため、第１の発明の傾斜沈降促進装置と同様に、流路内の出口付近を漂っていた懸濁物質が処理水の下降流に巻き込まれた場合にも、懸濁物質が交差部分に引っかかるという事態が生じ難くなる。その結果、交差部分に懸濁物質が過度に堆積して堆積物５５が形成されることが防止され、傾斜沈降促進装置１００とほぼ同様の効果を発揮する。
【００４３】
なお、第２の発明に係る傾斜沈降促進装置における構成要素のうち、第１の発明に係る傾斜沈降促進装置の構成要素と同じものは、第１の発明に係る傾斜沈降促進装置と同様のものを適宜採用することができる。例えば、図７に示す傾斜沈降促進装置３００の傾斜部１０は、矩形筒状部材からなるものであるが、図１に示すような傾斜板であってもよい。
【００４４】
本発明（第１の発明及び第２の発明）の傾斜沈降促進装置の大きさ（寸法）は、特に制限されるものではなく、従来公知の傾斜沈降促進装置の大きさ（寸法）を適宜採用することができる。
【００４５】
［３］更に他の実施形態：
図９、図１０に示す傾斜沈降促進装置４００は、上述した第１の発明と第２の発明の特徴を組み合わせた形態である。即ち、傾斜沈降促進装置４００は、原水が流通する複数の傾斜流路３０を有し、並列に配置された複数の傾斜部１０と、この傾斜部１０の両側に配置される側板２０と、を備えている。そして、この傾斜沈降促進装置４００は、全ての傾斜部１０の上辺部１５が、側板２０の上辺部２１より低い位置にあり、更に、側板２０を挟んで隣り合う傾斜部１０は、側板２０の長手方向に沿って互いにずれて配置されている。このような傾斜沈降促進装置４００においては、上記の傾斜沈降促進装置１００における効果に加え、更に、上記の傾斜沈降促進装置３００における効果の両方が発揮される。
【００４６】
図１３は、複数枚（６枚）の傾斜板１６から構成される傾斜部１０を備える傾斜沈降促進装置１０２を示している。そして、６枚の傾斜板１６のうちの中央の２枚は、短手傾斜板１７であり、この短手傾斜板１７の上辺部（上端面１７ａ）が側板２０の上辺部（上端面２１）より低い位置にある。
【００４７】
図１４は、複数枚（６枚）の傾斜板１６から構成される傾斜部１０を備える傾斜沈降促進装置１０３を示している。そして、傾斜沈降促進装置１０３には、互い違いに、短手傾斜板１７とこの短手傾斜板１７以外の通常の傾斜板１６とが配置されている。
【００４８】
図１５は、複数個（３個）の傾斜管１８から構成される傾斜部１０を備える傾斜沈降促進装置１０４を示している。そして、３個の傾斜管１８のうちの中央の１個は、短手傾斜管１９であり、この短手傾斜管１９の上辺部（上端面１９ａ）が側板２０の上辺部（上端面２１）より低い位置にある。
【００４９】
図１３〜図１５に示すように、傾斜部（傾斜板又は傾斜管）のうちの少なくとも一部の上辺部は、側板の上辺部より低い位置にあることも本発明の範囲内である。このように傾斜部を構成することにより、傾斜沈降促進装置１０２，１０３，１０４においては、上記の傾斜沈降促進装置１００に比べて交差部分の面積が増えるとはいえ、従来の装置に比較すれば交差部分の面積が減少するため、上記した効果と同様の効果を有することができる。
【００５０】
［４］製造方法：
本発明（第１の発明及び第２の発明）の傾斜沈降促進装置の製造方法は、特に限定されるものではなく、従来公知の傾斜沈降促進装置の製造方法を適宜採用することができる。具体的には、本発明の傾斜沈降促進装置は、射出成形、押出成形等により傾斜部を成形し、その後、傾斜部を平板状の側板に接合剤等によって固定することにより製造することができる。別の方法としては、側板と傾斜部とを、射出成形、押出成形などの方法により一体に成形する方法が挙げられる。
【産業上の利用可能性】
【００５１】
本発明の傾斜沈降促進装置は、沈殿池内に設置される沈降装置として用いることができる。
【符号の説明】
【００５２】
１，２：沈降装置、１０：傾斜部、１１：下端面、１２：上端面、１５：傾斜部の上辺部（傾斜部の上端面）、１６：傾斜板、１７：短手傾斜板、１７ａ：短手傾斜板の上端面、１８：傾斜管、１９：短手傾斜管、１９ａ：短手傾斜管の端面、２０：側板、２１：側板の上辺部（側板の上端面）、３０：傾斜流路、４０：傾斜面、５０：沈殿池、５１，１５１：原水、５２：集水トラフ、５５：堆積物、１００，１０１，１０２，１０３，１０４，１０５，２００，２０１，３００，４００，４０１：傾斜沈降促進装置、Ｘ：下降流。
【図１】
2020059026.tif 000003
【図２】
2020059026.tif 000004
【図３】
2020059026.tif 000005
【図４】
2020059026.tif 000006
【図５】
2020059026.tif 000007
【図６】
2020059026.tif 000008
【図７】
2020059026.tif 000009
【図８】
2020059026.tif 000010
【図９】
2020059026.tif 000011
【図１０】
2020059026.tif 000012
【図１１】
2020059026.tif 000013
【図１２】
2020059026.tif 000014
【図１３】
2020059026.tif 000015
【図１４】
2020059026.tif 000016
【図１５】
2020059026.tif 000017
【図１６】
2020059026.tif 000018
【図１７】
2020059026.tif 000019
【図１８】
2020059026.tif 000020
【図１９】
2020059026.tif 000021
【図２０】
2020059026.tif 000022
【図２１】
2020059026.tif 000023